(57)【特許請求の範囲】
【請求項１】
本体ハウジングと、
前記本体ハウジングに設けられた用紙経路と、
前記本体ハウジングに設けられて回転駆動される駆動ローラと、
前記本体ハウジングに設けられたプラテンと、
前記駆動ローラに前記用紙経路を介して当接し前記駆動ローラとにより用紙を挟んで前記用紙を搬送するピンチローラを有して、前記用紙経路の一側方において前記本体ハウジングに対して片持ち構造で保持され、片持ち構造側を支点として前記駆動ローラに対する接離方向に回動自在である第一のブロックと、
前記プラテンに対して前記用紙経路を介して上方から当接し前記用紙に印字する印字ヘッドを有して、前記用紙経路の一側方において前記本体ハウジングに対して片持ち構造で保持され、片持ち構造側を支点として前記プラテンに対する接離方向に回動自在である第二のブロックと、
前記用紙経路の一側方において前記第二のブロックの上方に位置させて前記本体ハウジングに対して片持ち構造で保持され、前記印字ヘッドと前記プラテンとの間にインクリボンを供給する第三のブロックと、
前記第一、第二及び第三のブロックの自由端を前記本体ハウジングに結合させる単一の部材である結合部材と、前記第一、第二及び第三のブロックが前記本体ハウジングに対して位置決めされるように前記結合部材を位置決めする位置決め部材と、前記第一、第二及び第三のブロックの自由端と前記本体ハウジングとを結合させるように前記結合部材を前記第一、第二及び第三のブロックと前記本体ハウジングとに取り外し自在に取り付ける取付部材と、を具備し、前記第一、第二及び第三のブロックの自由端を前記本体ハウジングに対して固定及び固定解除する保持手段と、
前記第二のブロックに設けられ、前記保持手段が前記第二のブロックの自由端を前記本体ハウジングに固定した状態で、前記印字ヘッドをヘッドアップ位置に移動させるヘッドアップ機構と、
を具備し、
前記保持手段が前記第一、第二及び第三のブロックの自由端を前記本体ハウジングに対して固定することにより前記第一、第二及び第三のブロックが前記本体ハウジングに対して位置決めされ、
前記保持手段が前記第一、第二及び第三のブロックの自由端の前記本体ハウジングに対する固定を解除することにより前記第一、第二及び第三のブロックの自由端側の前記用紙経路の他側方が開放される、
プリンタ。
【請求項２】
前記取付部材は、互いに嵌合及び嵌合解除自在な凹部と凸部とを含み、前記位置決め部材として機能する請求項１記載のプリンタ。
【請求項３】
前記結合部材は、前記用紙経路の他側方に対する接離方向に回動自在に前記本体ハウジングにより保持されている請求項１又は２記載のプリンタ。
【発明の詳細な説明】
【０００１】
【発明の属する技術分野】
本発明は、用紙を搬送して、その用紙に印字するプリンタに関する。
【０００２】
【従来の技術】
この種のプリンタの従来の一例を図９に示す。プリンタ１００の本体ハウジング１０１には、用紙Ａであるロール紙を収納保持する用紙保持部１０２、駆動ローラ１０３とピンチローラ１０４とを有し用紙Ａを搬送する搬送部１０５、プラテン１０６と印字ヘッド１０７とを有し用紙Ａに印字する印字部１０８、印字部１０８にインクリボンＢを供給するインクリボン供給部１０９などが設けられている。そして、本体ハウジング２には、用紙保持部１０２から搬送部１０５及び印字部１０８を経由して排出口１１０へ到る用紙経路１１１が設けられている。
【０００３】
このような構造のものは、搬送部１０５によって用紙Ａを引き出して搬送し、その搬送過程で印字部１０８によって用紙Ａに印字を行なう。
【０００４】
ここで、印字ヘッド１０７は、保持部材１１２に保持されて、この保持部材１１２とともにヘッドブロック１１３を構成している。ピンチローラ１０４は、保持部材１１４に保持されて、この保持部材１１４とともにピンチローラブロック１１５を構成している。これらのヘッドブロック１１３とピンチローラブロック１１５とは、用紙経路１１１の一側方において本体ハウジング１０１に対して片持ち構造で保持されている。そして、ヘッドブロック１１３とピンチローラブロック１１５との自由端側の用紙経路１１１の他側方が開放されている。これにより、用紙Ａの用紙経路１１１へのセット作業の容易化が図られている。
【０００５】
【発明が解決しようとする課題】
この場合、印字ヘッド１０７を保持しているヘッドブロック１１３が本体ハウジング１０１に対して片持ち構造で保持されているので、ヘッドブロック１１３が不安定であり、印字の際にヘッドブロック１１３がふらついてしまい、印字不良が発生するという問題がある。そこで、従来、ヘッドブロック１１３の自由端を着脱自在な保持部材（図示せず）によって本体ハウジング１０１に対して固定するということが行なわれている。しかし、この場合、ピンチローラブロック１１５は、片持ち構造であるので、ピンチローラブロック１１５は不安定であり、用紙搬送の際にピンチローラブロック１１５がふらついてしまい、用紙Ａを斜行させてしまうという問題がある。
【０００６】
本発明の目的は、用紙の斜行を防止することである。
【０００７】
【課題を解決するための手段】
本発明のプリンタは、本体ハウジングに設けられた用紙経路と、前記本体ハウジングに設けられて回転駆動される駆動ローラと、前記本体ハウジングに設けられたプラテンと、前記駆動ローラに前記用紙経路を介して当接し前記駆動ローラとにより用紙（例えばロール紙）を挟んで前記用紙を搬送するピンチローラを有して、前記用紙経路の一側方において前記本体ハウジングに対して片持ち構造で保持され、片持ち構造側を支点として前記駆動ローラに対する接離方向に回動自在である第一のブロック（例えばピンチローラブロック）と、前記プラテンに対して前記用紙経路を介して上方から当接し前記用紙に印字する印字ヘッドを有して、前記用紙経路の一側方において前記本体ハウジングに対して片持ち構造で保持され、片持ち構造側を支点として前記プラテンに対する接離方向に回動自在である第二のブロック（例えばヘッドブロック）と、前記用紙経路の一側方において前記第二のブロックの上方に位置させて前記本体ハウジングに対して片持ち構造で保持され、前記印字ヘッドと前記プラテンとの間にインクリボンを供給する第三のブロックと、前記第一、第二及び第三のブロックの自由端を前記本体ハウジングに結合させる単一の部材である結合部材と、前記第一、第二及び第三のブロックが前記本体ハウジングに対して位置決めされるように前記結合部材を位置決めする位置決め部材と、前記第一、第二及び第三のブロックの自由端と前記本体ハウジングとを結合させるように前記結合部材を前記第一、第二及び第三のブロックと前記本体ハウジングとに取り外し自在に取り付ける取付部材と、を具備し、前記第一、第二及び第三のブロックの自由端を前記本体ハウジングに対して固定及び固定解除する保持手段と、前記第二のブロックに設けられ、前記保持手段が前記第二のブロックの自由端を前記本体ハウジングに固定した状態で、前記印字ヘッドをヘッドアップ位置に移動させるヘッドアップ機構と、を具備し、前記保持手段が前記第一、第二及び第三のブロックの自由端を前記本体ハウジングに対して固定することにより前記第一、第二及び第三のブロックが前記本体ハウジングに対して位置決めされ、前記保持手段が前記第一、第二及び第三のブロックの自由端の前記本体ハウジングに対する固定を解除することにより前記第一、第二及び第三のブロックの自由端側の前記用紙経路の他側方が開放される。
【０００８】
【発明の実施の形態】
本発明の実施の一形態を図１ないし図８に基づいて説明する。本実施の形態は、用紙の位置決め基準を用紙搬送方向に直交する用紙幅方向の中心とするいわゆるセンタ基準のサーマルプリンタへの適用例であり、用紙としてロール紙が適用される。
【０００９】
図１は、プリンタの外観を概略的に示す斜視図である。図１に示すように、このプリンタ１の本体ハウジング２の前面には、印字された後の用紙Ａ（図４参照）が排出される排出口３が形成されている。本体ハウジング２の左側には、各種操作キー４や表示部５などを前面に備え本体ハウジング２の一部を構成する制御ボックス６が設けられている。この制御ボックス６の内部には、プリンタ１が備える各部を駆動制御する図示しない制御部が設けられている。本体ハウジング２の右側には、本体ハウジング２の内部を開放及び閉塞するカバー７が設けられている。このカバー７は、本体ハウジング２の上面の制御ボックス６側に設けられたヒンジ８を中心として上方向へ回動自在に設けられている。
【００１０】
図２はカバー７が開けられた状態であって、用紙経路が開放された状態のプリンタ１を概略的に示す斜視図、図３は片持ちユニットが開放位置にある状態を示す斜視図、図４はプリンタ１の内部構造を概略的に示す縦断側面図、図５は保持側板に固定された状態の片持ちユニットを示す斜視図である。なお、図２及び図３は一部の部材を省略して示し、図４は用紙Ａ及びインクリボンＢがセットされた状態を示している。
【００１１】
図２ないし図５に示すように、プリンタ１の本体ハウジング２の内部には、用紙Ａであるロール紙を収納保持する用紙保持部９、駆動ローラ１０と第一のブロックとしてのピンチローラブロック１１とを有し用紙Ａを搬送する搬送部１２、プラテン１３と第二のブロックとしてのヘッドブロック１４とを有し用紙Ａに印字する印字部１５、印字部１５にインクリボンＢを供給する第三のブロックとしてのインクリボン供給部１６、用紙Ａを検出するセンサ１７、用紙Ａを案内する用紙ガイド部１８などが設けられている。そして、本体ハウジング２の内部には、用紙保持部９から用紙ガイド部１８、搬送部１２、センサ１７及び印字部１５を経由して排出口３へ到る用紙経路１９が設けられている。
【００１２】
ピンチローラブロック１１及びヘッドブロック１４は、用紙搬送方向の一側方に配置された板金フレーム２０に取り付けられて一体化され、本体ハウジング２に対して回動自在な片持ちユニット２１を構成している。ここで、ピンチローラブロック１１とヘッドブロック１４とは、それぞれの一端が板金フレーム２０に固定されている。即ち、ピンチローラブロック１１とヘッドブロック１４とは、片持ち構造で板金フレーム２０に保持されている。
【００１３】
この片持ちユニット２１は、印字動作可能な動作位置と、ピンチローラブロック１１及びヘッドブロック１４が駆動ローラ１０及びプラテン１３から離反して用紙経路１９を開放する開放位置との間で回動自在とされている。なお、片持ちユニット２１の自由端は、動作位置において、結合部材としての保持側板２２によって本体ハウジング２に固定及び固定解除される。
【００１４】
ここで、片持ちユニット２１の取り付け構造について説明する。図６は片持ちユニット２１の取り付け構造を示す平面図、図７は片持ちユニット２１の取り付け構造を示し、（ａ）は片持ちユニット２１が動作位置にある状態を示す正面図、（ｂ）は片持ちユニット２１が開放位置にある状態を示す正面図である。
【００１５】
図６及び図７に示すように、板金フレーム２０には、制御ボックス６側の一面から制御ボックス６の側板２３を貫通し制御ボックス６の内部に延びて用紙搬送方向において間隔を開けて対向する一対のアーム２４，２５が形成されている。これらのアーム２４，２５が用紙経路１９の一側方であって制御ボックス６の内部に設けられた支軸２６によって回動自在に保持されている。この支軸２６の軸方向は、用紙搬送方向と同じとされている。そして、片持ちユニット２１は、支軸２６を支点として回動する。
【００１６】
片持ちユニット２１は、引っ張りバネとして機能するコイルバネ２７ａ，２７ｂによって動作位置から開放位置へ回動するように上方向へ引っ張られている。これらのコイルバネ２７ａ，２７ｂは、それぞれアーム２４，２５と本体ハウジング２の上部とに支持されている。片持ちユニット２１は、動作位置に位置しているときには、固定部材（図示せず）によってコイルバネ２７ａ，２７ｂの引っ張り力に抗して位置固定されている。固定部材は、片持ちユニット２１及び本体ハウジング２にそれぞれ設けられた一対の磁石により構成され、それらの磁力により片持ちユニット２１を動作位置で位置固定する。
【００１７】
このようなプリンタ１の本体ハウジング２の内部に設けられている各部について、以下に詳しく説明する。
【００１８】
まず印字部１５を説明する。図２ないし図４に示すように、印字部１５を構成するヘッドブロック１４は、印字ヘッドとしてのサーマルヘッド２８、ヘッド圧力調節機構２９、及び、これらのサーマルヘッド２８とヘッド圧力調節機構２９とを保持するヘッドブロックカバー３０により構成されている。ヘッドブロックカバー３０は、板金フレーム２０に所定の間隔を開けて対向する補助側板３１を有し板金フレーム２０に固定されている。サーマルヘッド２８は、プラテン１３に対して用紙経路１９を介して接離自在となるように板金フレーム２０とヘッドブロックカバー３０の補助側板３１とにより保持されている。ここで、サーマルヘッド２８は、片持ちユニット２１が動作位置にある状態でプラテン１３に当接する。ヘッド圧力調節機構２９は、サーマルヘッド２８を押圧することによりサーマルヘッド２８のプラテン１３に当接する圧力を調節する。そして、印字部１５では、ヘッド圧力調節機構２９により押圧されたサーマルヘッド２８と用紙Ａとの間にインクリボンＢ（図４参照）が介在され、サーマルヘッドの発熱体が発熱することにより印字が行なわれる。
【００１９】
加えて、ヘッドブロック１４には、特に図示しないが、ヘッドアップ機構が設けられている。ヘッドアップ機構は、印字動作においてサーマルヘッド２８による印字はされずに用紙Ａが搬送される際に、ヘッドを用紙Ａから離反させたヘッドアップ位置に移動させる。
【００２０】
プラテン１３は、図２に示すように、制御ボックス６の側板２３と、この側板２３に対向するように本体ハウジング２の底板に立設され本体ハウジング２の一部を構成する側板３２とにより回転自在に保持されている。プラテン１３は、制御ボックス６の内部に設けられた図示しないモータにより回転駆動される。そして、プラテン１３が回転駆動されることにより、サーマルヘッド２８とプラテン１３との間に挟まれた用紙Ａが用紙経路１９に沿って搬送される。即ち、プラテン１３は、用紙Ａを搬送する搬送部としても機能する。
【００２１】
次に、搬送部１２について説明する。図２ないし図４に示すように、搬送部１２を構成するピンチローラブロック１１は、ピンチローラ体３３と、このピンチローラ体３３を保持するローラブロックカバー３４とにより構成されている。ローラブロックカバー３４は、板金フレーム２０に所定の間隔を開けて対向する補助側板３５を有し板金フレーム２０に固定されている。ピンチローラ体３３は、用紙経路１９を介して駆動ローラ１０に対向配置され、板金フレーム２０とローラブロックカバー３４の補助側板３５とにより駆動ローラ１０に対して接離自在になるように保持されている。
【００２２】
ピンチローラ体３３は、ピンチローラブロック１１に設けられた付勢手段（図示せず）により駆動ローラ１０に当接するように付勢されている。ここで、ピンチローラ体３３は、片持ちユニット２１が動作位置にある状態で駆動ローラ１０に当接する。このピンチローラ体３３は、駆動ローラ１０に対して用紙搬送方向の上流側及び下流側に所定の間隔で配置された２つのピンチローラ３６ａ，３６ｂと、これらのピンチローラ３６ａ，３６ｂ間に掛け渡されたエンドレスベルトであるゴムベルト３７とから構成されておりピンチローラとして機能する。
【００２３】
駆動ローラ１０は、側板２３，３２により回転自在に保持されている。駆動ローラ１０は、制御ボックス６の内部に設けられた図示しないモータにより回転駆動される。そして、駆動ローラ１０が回転駆動されることにより、駆動ローラ１０とピンチローラ体３３との間に挟まれている用紙Ａが用紙経路１９に沿って搬送される。
【００２４】
次に、インクリボン供給部１６は、図２及び図４に示すように、未使用のインクリボンＢを保持し印字部１５へ供給するリボン供給軸３８と、使用済のインクリボンＢを巻き取るリボン巻取軸３９とから構成されている。リボン供給軸３８及びリボン巻取軸３９は、用紙経路１９の一側方において制御ボックス６の側板２３に片持ち構造で回転自在に保持されており、制御ボックス６の内部に設けられた図示しないモータにより回転駆動される。リボン供給軸３８に保持され印字部１５へ供給されるインクリボンＢは、サーマルヘッド２８とプラテン１３との間を経由してリボン巻取軸３９に巻き取られる。
【００２５】
次に、保持側板２２を図５及び図８に基づいて説明する。ここで、図８は、片持ちユニット２１から取り外された状態の保持側板２２を示す斜視図である。
【００２６】
図５及び図８に示すように、保持側板２２は、片持ちユニット２１を側板３２に固定する固定位置（図５）と、片持ちユニット２１の側板３２への固定を解除する固定解除位置（図８）との間で側板３２に対して回動自在に取り付けられている。つまり、保持側板２２は、側板３２における制御ボックス６側とは反対側の面に設けられたヒンジ４０を中心として用紙経路１９の他側方に対する接離方向に回動自在に設けられている。また、保持側板２２は、ヒンジ４０によって用紙幅方向に移動自在とされている。具体的には、保持側板２２側に設けられたヒンジ部材に形成された係合孔４０ａが、側板３２側に設けられたヒンジ部材の支軸４０ｂに用紙幅方向に移動自在に係合している。
【００２７】
保持側板２２には、側板３２用の基準ピン４１，４２、ヘッドブロック１４用の基準ピン４３，４４、ピンチローラブロック１１用の基準ピン４５，４６、リボン供給軸３８用の基準孔４７、及び、リボン巻取軸３９用の基準孔４８が形成されている。
【００２８】
側板３２用の基準ピン４１，４２は、側板３２に形成された基準孔４９，５０に嵌合する。ヘッドブロック１４用の基準ピン４３，４４は、ヘッドブロックカバー３０の補助側板３１に形成された基準孔５１，５２に嵌合する。ピンチローラブロック１１用の基準ピン４５，４６は、ローラブロックカバー３４の補助側板３５に形成された基準孔５３，５４に嵌合する。リボン供給軸３８用の基準孔４７は、リボン供給軸３８の自由端側の端面にリボン供給軸３８に対して回転自在に設けられた基準ピン５５に嵌合する。リボン巻取軸３９用の基準孔４８は、リボン巻取軸３９の自由端側の端面にリボン巻取軸３９に対して回転自在に設けられた基準ピン５６に嵌合する。
【００２９】
上述した基準ピン４１〜４６，５５，５６は、基準孔４９〜５４，４７，４８に対して着脱自在とされている。ここで、基準ピン４１〜４６，５５，５６は、凸部として機能し、基準孔４７〜５４は、凹部として機能する。
【００３０】
基準ピン４１〜４６，５５，５６と、基準孔４９〜５４，４７，４８とが嵌合している状態においては、ピンチローラブロック１１、ヘッドブロック１４、リボン供給軸３８及びリボン巻取軸３９は、本体ハウジング２の側板３２に対して位置決めされる。ここに、基準ピン４１〜４６，５５，５６と、基準孔４７〜５４とが位置決め部材として機能する。
【００３１】
ここで、上述した保持側板２２、基準ピン４１〜４６，５５，５６、及び、基準孔４７〜５４により保持手段５７が構成されている。
【００３２】
次に、用紙保持部９について説明する。図２及び図４に示すように、用紙保持部９には、用紙Ａを保持する用紙保持軸５８と、用紙保持軸５８によって保持される用紙Ａの幅方向の移動を規制する一対のサイドフェンス５９ａ，５９ｂとが設けられている。
【００３３】
加えて、本体ハウジング２の内部のプラテン１３よりも用紙搬送方向下流側には、図４に示すように、用紙Ａとして台紙上にラベルが所定間隔で貼り付けられたラベル用紙が使用される際にラベルを台紙から剥離させるための剥離板６０が設けられている。特に図示しないが、ラベル用紙が剥離された後の台紙は、本体ハウジング２の下側に設けられた台紙巻き取り部に巻き取られる。
【００３４】
このような構成において、用紙経路１９への用紙Ａのセットにおいては、まず、保持側板２２を固定解除位置に回動させて、片持ちユニット２１の側板３２に対する固定を解除し、用紙経路１９の他側方を開放する。次に、片持ちユニット２１を開放位置へ回動させて、用紙経路１９を開放する。そして、用紙保持部９に保持されている用紙Ａを駆動ローラ１０及びプラテン１３に沿わせるようにして引き出す。次に、片持ちユニット２１を開放位置から印字可能位置へ回動させる。用紙Ａが用紙経路１９にセットされる。次に、保持側板２２を固定位置に回動させて、片持ちユニット２１を側板３２に固定する。これにより、ピンチローラブロック１１、ヘッドブロック１４及びインクリボン供給部１６の自由端が本体ハウジング２に対して位置決めされた状態で固定され、用紙Ａに対して印字が可能な状態となる。
【００３５】
印字動作においては、上述のように用紙Ａ及びインクリボンＢを用紙経路１９及び印字部１５にセットした状態で、駆動ローラ１０及びプラテン１３を回転駆動させることにより、用紙Ａを用紙経路１９に沿って搬送し、その搬送の過程において、リボン供給軸３８及びリボン巻取軸３９を回転駆動させてリボンを印字部１５に供給し、サーマルヘッド２８の所定の発熱体を発熱させてインクリボンＢに塗布されたインクを溶融させることによって印字が行なわれる。このとき、センサ１７によって、用紙経路１９に印字すべき用紙Ａがあるか否かが検出される。また、用紙がラベル用紙の場合には、センサ１７は、ラベルを検出したり用紙Ａの裏面に所定間隔で印刷されたブラックマークを検出する。
【００３６】
このように、本実施の形態では、ピンチローラブロック１１の自由端が、本体ハウジング２に対して位置決めされた状態で固定されるので、ピンチローラブロック１１の位置決め精度の向上及び取り付け剛性の向上が図られている。これにより、用紙を正確に搬送することができ、用紙Ａの斜行を防止することができる。
【００３７】
また、片持ちユニット２１の側板３２に対する固定を解除することにより、用紙経路１９の他側方が開放されるので、用紙Ａの用紙経路１９へのセット作業、用紙Ａやラベルのジャム処理作業などの各種作業のための作業空間が拡大でき、それらの作業の容易化を図ることができる。
【００３８】
なお、本実施の形態では、保持側板２２がヒンジ４０によって側板３２に回動自在に保持されている例を説明したが、保持側板２２としてはこれに限るものではなく、例えば、保持側板２２は、側板３２に対しても着脱自在であってよい。さらには、保持側板２２の機能をカバー７に持たせてもよい。これにより、片持ちユニット２１の固定操作及び固定解除操作の容易化を図ることができる。
【００３９】
また、本実施の形態では、側板３２用の基準ピン４１，４２、ヘッドブロック１４用の基準ピン４３，４４、ピンチローラブロック１１用の基準ピン４５，４６、リボン供給軸３８用の基準孔４７、及び、リボン巻取軸３９用の基準孔４８が保持側板２２に形成され、基準孔４９，５０、基準孔５１，５２、基準孔５３，５４、基準ピン５５、及び、基準ピン５６がそれぞれ側板３２、補助側板３１、補助側板３５、リボン供給軸３８、及び、リボン巻取軸３９に形成された例を説明したが、これに限るものではなく、これらは、それぞれ逆の関係で各部材に形成されていてもよい。
【００４０】
このように本実施の形態においては、印字ヘッドとしてのサーマルヘッド２８を有して用紙経路１９の一側方において本体ハウジング２に対して片持ち構造で保持されている第二のブロックとしてのヘッドブロック１４を具備し、保持手段５７は、ヘッドブロック１４の自由端を本体ハウジング２に対して固定及び固定解除し、保持手段５７がヘッドブロック１４の自由端を本体ハウジング２に対して固定することによりヘッドブロック１４が本体ハウジング２に対して位置決めされ、保持手段５７がヘッドブロック１４の自由端の本体ハウジング２に対する固定を解除することによりヘッドブロック１４の自由端側の用紙経路１９の他側方が開放されることにより、保持手段５７によてヘッドブロック１４の自由端を本体ハウジング２に対して固定することでヘッドブロック１４の位置決め精度の向上及び取り付け剛性の向上がなされ、印字品質を高めることができる。一方、保持手段５７によりヘッドブロック１４の自由端の本体ハウジング２に対する固定を解除することにより、用紙Ａの用紙経路１９へのセット作業、用紙Ａやラベルのジャム処理作業などの各種作業のための作業空間が拡大でき、それらの作業の容易化を図ることができる。
【００４１】
また、本実施の形態においては、用紙経路１９の一側方において本体ハウジング２に対して片持ち構造で保持されサーマルヘッド２８とプラテン１３との間にインクリボンＢを供給する第三のブロックとしてのインクリボン供給部１６を具備し、保持手段５７は、インクリボン供給部の自由端を本体ハウジング２に対して固定及び固定解除し、保持手段５７がインクリボン供給部１６の自由端を本体ハウジング２に対して固定することによりインクリボン供給部１６が本体ハウジング２に対して位置決めされ、保持手段５７がインクリボン供給部１６の自由端の本体ハウジング２に対する固定を解除することによりインクリボン供給部１６の自由端側の用紙経路１９の他側方が開放されることにより、保持手段５７によりインクリボン供給部１６の自由端を本体ハウジング２に対して固定することで、インクリボン供給部１６の位置決め精度の向上及び取り付け剛性の向上がなされ、サーマルヘッド２８とプラテン１３との間に確実にインクリボンＢを供給することができる。一方、保持手段５７によりインクリボン供給部１６の自由端の本体ハウジング２に対する固定を解除することにより、インクリボンＢのインクリボン供給部１６へのセット作業、用紙Ａの用紙経路１９へのセット作業、用紙Ａやラベルのジャム処理作業などの各種作業のための作業空間を拡大でき、それらの作業の容易化を図ることができる。
【００４２】
また、本実施の形態においては、保持手段５７は、ピンチローラブロック１１、ヘッドブロック１４及びインクリボン供給部１６の自由端を本体ハウジング２に結合させる結合部材としての保持側板２２と、ピンチローラブロック１１、ヘッドブロック１４及びインクリボン供給部１６が本体ハウジング２に対して位置決めされるように保持側板２２を位置決めする位置決め部材としての基準ピン４１〜４６，５５，５６及び基準孔４７〜５４と、ピンチローラブロック１１、ヘッドブロック１４及びインクリボン供給部１６の自由端と本体ハウジング２とを結合させるように保持側板２２をピンチローラブロック１１、ヘッドブロック１４、インクリボン供給部１６及び本体ハウジング２に取り外し自在に取り付ける取付部材としての基準ピン４１〜４６，５５，５６及び基準孔４９〜５４，４７，４８と、を具備することにより、簡単な構造で保持手段５７を実現させることができる。
【００４３】
また、本実施の形態においては、取付部材は、互いに嵌合及び嵌合解除自在な凹部としての基準孔４９〜５４，４７，４８と凸部としての基準ピン４１〜４６，５５，５６とを含み、位置決め部材として機能することにより、部品点数を削減することができる。
【００４４】
また、本実施の形態においては、保持側板２２は、単一の部材であることにより、部品点数を削減することができる。また、保持側板２２の着脱操作を簡略化することができる。
【００４５】
また、本実施の形態においては、保持側板２２は、用紙経路１９の他側方に対する接離方向に回動自在となるように本体ハウジング２により保持されていることにより、保持側板２２をピンチローラブロック１１、ヘッドブロック１４、インクリボン供給部１６及び本体ハウジング２から取り外した状態において保持側板２２を紛失することを防止することができる。
【００４６】
また、本実施の形態では、ピンチローラブロック１１及びヘッドブロック１４は、片持ち構造側を支点として駆動ローラ１０及びプラテン１３に対する接離方向に回動自在であることにより、ピンチローラブロック１１及びヘッドブロック１４を駆動ローラ１０及びプラテンから離反させることができ、用紙Ａの用紙経路１９へのセット作業、用紙Ａやラベルのジャム処理作業などの各種作業のための作業空間をさらに拡大でき、それらの作業のさらなる容易化を図ることができる。
【００４７】
【発明の効果】
本発明のプリンタによれば、ピンチローラを有して片持ち構造で保持された第一のブロックの自由端を保持手段により保持することにより、第一のブロックの位置決め精度の向上及び取り付け剛性の向上を図ることができ、これにより、用紙を正確に搬送することができ、用紙の斜行を防止することができる。
【図面の簡単な説明】
【図１】本発明の実施の一形態のプリンタの外観を概略的に示す斜視図である。
【図２】カバーが開けられた状態であって、用紙経路が開放された状態のプリンタを概略的に示す斜視図である。
【図３】片持ちユニットが開放位置にある状態を示す斜視図である。
【図４】プリンタの内部構造を概略的に示す縦断側面図である。
【図５】保持側板に固定された状態の片持ちユニットを示す斜視図である。
【図６】片持ちユニットの取り付け構造を示す平面図である。
【図７】片持ちユニットの取り付け構造を示し、（ａ）は片持ちユニットが動作位置にある状態を示す正面図、（ｂ）は片持ちユニットが開放位置にある状態を示す正面図である。
【図８】片持ちユニットから取り外された状態の保持側板を示す斜視図である。
【図９】従来のプリンタの一例を示す縦断側面図である。
【符号の説明】
１…プリンタ、２…本体ハウジング、１０…駆動ローラ、１１…第一のブロック（ピンチローラブロック）、１３…プラテン、１４…第二のブロック（ヘッドブロック）、１６…第三のブロック（インクリボン供給部）、１９…用紙経路、２２…結合部材（保持側板）、２８…印字ヘッド（サーマルヘッド）、３３…ピンチローラ（ピンチローラ体）、４１〜４６，５５，５６…位置決め部材，取付部材，凸部（基準ピン）、４７〜５４…位置決め部材，取付部材，凹部（基準孔）、５７…保持手段、Ａ…用紙、Ｂ…インクリボン
【図１】
0003740077.tif 000002
【図２】
0003740077.tif 000003
【図３】
0003740077.tif 000004
【図４】
0003740077.tif 000005
【図５】
0003740077.tif 000006
【図６】
0003740077.tif 000007
【図７】
0003740077.tif 000008
【図８】
0003740077.tif 000009
【図９】
0003740077.tif 000010